(57)【特許請求の範囲】
【請求項１】
操作手段の操作により回転力が入力される入力回転体を有する入力ユニットと、
コマ玩具に回転力を付与する出力回転体を有する出力ユニットと、
前記入力回転体と前記出力回転体とを連結して回転力を伝達する連結回転体を有する連結ユニットと、を備え、
前記入力ユニット、前記出力ユニット及び前記連結ユニットは、個別に着脱可能に構成され、
前記入力ユニットは、
前記入力回転体と接離して当該入力回転体の回転を規制可能な第１規制部材と、
前記第１規制部材を前記入力回転体と当接する方向に付勢する第１付勢部材と、を有し、
前記出力ユニットは、
当該出力ユニットが前記入力ユニットに装着されたときに、前記第１付勢部材の付勢力に抗して前記第１規制部材を前記入力回転体から離間させる第１押圧部を有する、
ことを特徴とするコマ発射装置。
【請求項２】
前記入力ユニットは、前記入力回転体の回転方向を反転させた状態で、前記出力ユニット及び前記連結ユニットに装着可能に構成されている、
ことを特徴とする請求項１に記載のコマ発射装置。
【請求項３】
前記出力ユニット及び前記連結ユニットは、前記入力回転体の軸方向に沿って前記入力ユニットを挟持するように構成されている、
ことを特徴とする請求項２に記載のコマ発射装置。
【請求項４】
前記入力ユニットは、
前記入力回転体と接離して当該入力回転体の回転を規制可能な第２規制部材と、
前記第２規制部材を前記入力回転体と当接する方向に付勢する第２付勢部材と、を有し、
前記連結ユニットは、
当該連結ユニットが前記入力ユニットに装着されたときに、前記第２付勢部材の付勢力に抗して前記第２規制部材を前記入力回転体から離間させる第２押圧部を有する、
ことを特徴とする請求項１〜３のいずれか一項に記載のコマ発射装置。
【発明の詳細な説明】
【技術分野】
【０００１】
本発明は、コマ玩具を発射させるコマ発射装置に関する。
【背景技術】
【０００２】
従来、コマ玩具に回転力を付与しつつ発射させるコマ発射装置が知られている。
例えば特許文献１に記載のコマ発射装置では、ユーザがハンドルを引くことで、ワイヤーを介してハンドルと連結された第１の歯車が回転し、これと噛合する第２の歯車に回転力が伝達される。そして、第２の歯車に連結されたコマ保持体からコマ玩具に回転力が付与されて、コマ玩具が回転する。
【先行技術文献】
【特許文献】
【０００３】
【特許文献１】実用新案登録第３１４２４７５号公報
【発明の概要】
【発明が解決しようとする課題】
【０００４】
しかしながら、上記特許文献１に記載のコマ発射装置では、第１の歯車、第２の歯車及びコマ保持体等が装置本体として一体的に構成されている。そのため、当該コマ発射装置は、コマ玩具の回転力や回転方向等を決定付ける重要なパーツであるにも関わらず、その回転に係る特性を自由にカスタマイズすることが難しい。
そこで、本発明は、回転に係る特性を好適に調整・変更できるコマ発射装置を提供することを目的とする。
【課題を解決するための手段】
【０００５】
第１の手段は、コマ発射装置であって、
操作手段の操作により回転力が入力される入力回転体を有する入力ユニットと、
コマ玩具に回転力を付与する出力回転体を有する出力ユニットと、
前記入力回転体と前記出力回転体とを連結して回転力を伝達する連結回転体を有する連結ユニットと、を備え、
前記入力ユニット、前記出力ユニット及び前記連結ユニットは、個別に着脱可能に構成され、
前記入力ユニットは、
前記入力回転体と接離して当該入力回転体の回転を規制可能な第１規制部材と、
前記第１規制部材を前記入力回転体と当接する方向に付勢する第１付勢部材と、を有し、
前記出力ユニットは、
当該出力ユニットが前記入力ユニットに装着されたときに、前記第１付勢部材の付勢力に抗して前記第１規制部材を前記入力回転体から離間させる第１押圧部を有する、
ことを特徴とする。
【０００６】
第２の手段は、第１の手段において、
前記入力ユニットは、前記入力回転体の回転方向を反転させた状態で、前記出力ユニット及び前記連結ユニットに装着可能に構成されていることを特徴とする。
【０００７】
第３の手段は、第２の手段において、
前記出力ユニット及び前記連結ユニットは、前記入力回転体の軸方向に沿って前記入力ユニットを挟持するように構成されていることを特徴とする。
【０００９】
第４の手段は、第１〜第３のいずれか１つの手段において、
前記入力ユニットは、
前記入力回転体と接離して当該入力回転体の回転を規制可能な第２規制部材と、
前記第２規制部材を前記入力回転体と当接する方向に付勢する第２付勢部材と、を有し、
前記連結ユニットは、
当該連結ユニットが前記入力ユニットに装着されたときに、前記第２付勢部材の付勢力に抗して前記第２規制部材を前記入力回転体から離間させる第２押圧部を有することを特徴とする。
【発明の効果】
【００１０】
第１の手段によれば、回転力が入力される入力回転体を有する入力ユニットと、コマ玩具に回転力を付与する出力回転体を有する出力ユニットと、入力回転体と出力回転体とを連結して回転力を伝達する連結回転体を有する連結ユニットとが、個別に着脱可能に構成されている。
そのため、これらのユニットを、個別にその状態を変えたり、異なる特性のものと交換したりできる。したがって、コマ発射装置の回転に係る特性を、好適に調整・変更することができる。
また、第１の手段によれば、入力ユニットは、入力回転体と接離して当該入力回転体の回転を規制可能な第１規制部材と、第１規制部材を入力回転体と当接する方向に付勢する第１付勢部材とを有し、出力ユニットは、入力ユニットに装着されたときに、第１付勢部材の付勢力に抗して第１規制部材を入力回転体から離間させる第１押圧部を有する。
これにより、入力ユニットに出力ユニットが装着されていないときに、入力回転体の回転を規制することができる。したがって、入力ユニットに出力ユニットが装着されていないときに入力回転体が露出している場合であっても、入力回転体が回転することによる危険を防ぐことができる。
【００１１】
第２の手段によれば、入力ユニットが、入力回転体の回転方向を反転させた状態で出力ユニット及び連結ユニットに装着可能であるので、簡便にコマ玩具の回転方向を反転させることができる。
【００１２】
第３の手段によれば、出力ユニット及び連結ユニットが、入力回転体の軸方向に沿って入力ユニットを挟持するように構成されている。
これにより、出力ユニット及び連結ユニットと入力ユニットとをより強固に固定することができる。すなわち、歯車のように互いに連結した２つの回転体には互いに離れる方向の力が作用するため、出力ユニット及び連結ユニットが入力回転体の側方から入力ユニットに着脱される構成では、各ユニットに各々が離脱する方向の力が加わる。その結果、使用していくうちに各ユニットのケーシングが破損したり、ユニットが分解したりするおそれがある。この点、出力ユニット及び連結ユニットが、入力回転体の軸方向に沿って入力ユニットを挟持する構成とすることで、回転に伴う力の作用方向と着脱方向とを異ならせて、これらをより強固に固定することができる。
【００１４】
第４の手段によれば、入力ユニットは、入力回転体と接離して当該入力回転体の回転を規制可能な第２規制部材と、第２規制部材を入力回転体と当接する方向に付勢する第２付勢部材とを有し、連結ユニットは、入力ユニットに装着されたときに、第２付勢部材の付勢力に抗して第２規制部材を入力回転体から離間させる第２押圧部を有する。
これにより、入力ユニットに連結ユニットが装着されていないときに、入力回転体の回転を規制することができる。したがって、入力ユニットに出力ユニットが装着されていないときに入力回転体が露出している場合であっても、入力回転体が回転することによる危険を防ぐことができる。
【図面の簡単な説明】
【００１５】
【図１】実施形態に係るコマ発射装置及びコマ玩具の斜視図である。
【図２】実施形態に係るコマ発射装置の分解斜視図である。
【図３】実施形態に係る入力ユニットの斜視図であって、（ａ）が斜め上方から見たもの、（ｂ）が斜め下方から見たものである。
【図４】実施形態に係る入力ユニットの分解斜視図である。
【図５】実施形態に係る入力ギヤ及び上側ロック部品を上方から見た図であって、（ａ）が回転規制状態のもの、（ｂ）が回転可能状態のものである。
【図６】実施形態に係る入力ギヤ及び下側ロック部品を下方から見た図であって、（ａ）が回転規制状態のもの、（ｂ）が回転可能状態のものである。
【図７】実施形態に係る出力ユニットの分解斜視図である。
【図８】実施形態に係る連結ユニットの分解斜視図である。
【図９】実施形態に係るコマ発射装置の断面図である。
【図１０】入力ユニットを上下反転させた状態でのコマ発射装置の分解斜視図である。
【発明を実施するための形態】
【００１６】
以下、本発明に係るコマ発射装置の実施形態について、図面を参照して説明する。
【００１７】
《コマ発射装置の全体構成》
図１は、本実施形態に係るコマ発射装置１及びコマ玩具５０の斜視図であり、図２は、コマ発射装置１の分解斜視図である。
図１に示すように、コマ発射装置１は、回転力を付与しつつコマ玩具５０を発射させることで、コマ玩具５０を回転させるものである。ユーザ（遊戯者）は、コマ玩具５０の上面の弧状スリット５１にフォーク３４３を上側から挿し込んでコマ玩具５０を保持した状態で、ハンドル２５を操作することにより、コマ玩具５０を回転させながら発射させることができる。
【００１８】
具体的には、図２に示すように、コマ発射装置１は、回転力が入力される入力ユニット２０と、コマ玩具５０に回転力を出力する出力ユニット３０と、入力ユニット２０と出力ユニット３０とを連結して回転力を伝達する連結ユニット４０とを備えている。これら入力ユニット２０、出力ユニット３０及び連結ユニット４０は、個別に着脱可能に構成されている。
なお、以下の説明において、上下、前後及び左右は、図中に示した方向をいう。
【００１９】
《入力ユニットの構成》
図３は、入力ユニット２０の斜視図であって、（ａ）が斜め上方から見たもの、（ｂ）が斜め下方から見たものであり、図４は、入力ユニット２０の分解斜視図である。
図３及び図４に示すように、入力ユニット２０は、上部ケーシング２１と下部ケーシング２２を備えている。上部ケーシング２１と下部ケーシング２２は、互いに略上下反転形状（一方を上下反転させたときに互いに略同形状）に形成されるとともに、各々が略左右対称形状に形成されている。そのため、入力ユニット２０は、上下反転させた場合でも、出力ユニット３０及び連結ユニット４０を装着可能となっている。
なお、以下では、特に断りのない限り、入力ユニット２０が図中の上下の向きに配置されたものとしてその構成を説明するが、入力ユニット２０は上下反転させた状態での使用も可能であるため、入力ユニット２０についての以下の説明や各部名称における「上」「下」の記載は、入力ユニット２０の使用状態における上下の位置等を限定するものではない。
【００２０】
具体的に、上部ケーシング２１は、その略前半部の平板部２１１と、略後半部のギヤケース部２１２とを有している。平板部２１１は、上下方向に沿った貫通孔２１１ａを中央に有している。平板部２１１のうちの左右両側部には、上方に開口する円筒状の第１係止孔２１１ｂが形成されている。ギヤケース部２１２は、下方に開口する凹状に形成されるとともに、前側が開口して内部が平板部２１１の上面に露出している。また、ギヤケース部２１２の上面中央には「Ｒ」の文字が描かれている。この「Ｒ」の文字は、上部ケーシング２１を上側に配した入力ユニット２０の上下の向きでコマ玩具５０を回したときに、コマ玩具５０が時計回り（右回り）に回転することを表す。
下部ケーシング２２は、上部ケーシング２１を略上下反転させた形状に形成されている。すなわち、下部ケーシング２２は、その略前半部の平板部２２１と、略後半部のギヤケース部２２２とを有している。平板部２２１は、上下方向に沿った貫通孔２２１ａを中央に有している。平板部２２１のうちの左右両側部には、下方に開口する円筒状の第１係止孔２２１ｂが形成されている。ギヤケース部２２２は、上方に開口する凹状に形成されるとともに、前側が開口して内部が平板部２２１の下面に露出している。また、ギヤケース部２２２の上面中央には「Ｌ」の文字が描かれている。この「Ｌ」の文字は、下部ケーシング２２を上側に配した入力ユニット２０の上下の向きでコマ玩具５０を回したときに、コマ玩具５０が反時計回り（左回り）に回転することを表す。
上部ケーシング２１と下部ケーシング２２は、互いの周縁を合わせた状態で、複数のねじ２８によって上下に固定されている。これにより、上部ケーシング２１と下部ケーシング２２とで、平板部２１１、２２１が一体的に構成され、貫通孔２１１ａ、２２１ａが上下に連通し、ギヤケース部２１２、２２２が内部にギヤケース空間を画成している。
【００２１】
上部ケーシング２１及び下部ケーシング２２のギヤケース部２１２、２２２内には、本発明に係る入力回転体の一例である入力ギヤ２３が収容されている。
入力ギヤ２３は、それぞれ外周面に歯２３１ａ、２３２ａを有する上部ギヤ２３１と下部ギヤ２３２を一体的に連結して構成されている。上部ギヤ２３１と下部ギヤ２３２は、互いの歯２３１ａ、２３２ａの歯数とピッチ円径が等しい平歯車であり、より径の小さい胴部２３３（図９参照）を介して上下に並設された状態で同心状に連結されている。胴部２３３にはワイヤー（紐）２４が巻回され、ワイヤー２４の先端にはハンドル２５が取り付けられている。
【００２２】
入力ギヤ２３は、上下方向に沿った中心軸Ａｘ１回りに回転可能なように、上部ケーシング２１及び下部ケーシング２２に支持されている。より詳しくは、入力ギヤ２３には、上部ギヤ２３１と下部ギヤ２３２を軸支する軸部２３４が中央に挿通されており、この軸部２３４の上下両端が、上部ケーシング２１の軸支持部２１３と下部ケーシング２２の軸支持部２２３とに支持されている（図９参照）。
入力ギヤ２３は、上部ケーシング２１及び下部ケーシング２２のギヤケース部２１２、２２２内に収容された状態で、上部ギヤ２３１の歯２３１ａが、上部ケーシング２１の平板部２１１よりも上側に位置しつつ、ギヤケース部２１２の開口から前方に露出している。また、下部ギヤ２３２の歯２３２ａが、下部ケーシング２２の平板部２２１よりも下側に位置しつつ、ギヤケース部２２２の開口から前方に露出している。
入力ギヤ２３から引き出されたワイヤー２４の先端側は、上部ケーシング２１及び下部ケーシング２２の平板部２１１、２２１内を前方に引き回されている。ワイヤー２４の先端に取り付けられたハンドル２５は、上部ケーシング２１及び下部ケーシング２２の前端から前方に露出している。
また、入力ギヤ２３の内部にはゼンマイばね（図示省略）が収容されている。ゼンマイばねは、一端が軸部２３４に固定されており、後述するように、入力ギヤ２３に巻戻り力を発生させる。
【００２３】
入力ユニット２０では、ユーザがハンドル２５を引き操作すると、ワイヤー２４が引っ張られることにより、入力ギヤ２３が平面視で反時計回りに回転する。このとき、ゼンマイばねは入力ギヤ２３とともに回転して巻き上げられ、ユーザがハンドル２５の引き操作をやめると、入力ギヤ２３はゼンマイばねの巻戻り力によって逆方向に付勢されて急激に停止する。その後、入力ギヤ２３は、ゼンマイばねの巻戻り力によって平面視で時計回りに回転し、ハンドル２５が上部ケーシング２１及び下部ケーシング２２の前端に当接するまでワイヤー２４を巻き戻す。
【００２４】
また、上部ケーシング２１及び下部ケーシング２２のギヤケース部２１２、２２２内には、入力ギヤ２３の回転を規制する上側ロック部品２６と下側ロック部品２７が収容されている。
図５は、入力ギヤ２３及び上側ロック部品２６を上方から見た図であり、図６は、入力ギヤ２３及び下側ロック部品２７を下方から見た図である。これら各図のうち、（ａ）が回転規制状態を示し、（ｂ）が回転可能状態を示す。なお、図５及び図６では、入力ギヤ２３、上側ロック部品２６及び下側ロック部品２７以外の部品等を省略又は簡略化している。
図４に示すように、上側ロック部品２６は、長尺な棒状に形成されて左右方向に延在するように配置され、抑え板２６２及び固定ねじ２６３により、左右方向に移動可能なように上部ケーシング２１の天面に取り付けられている。より詳しくは、図５（ａ）に示すように、上側ロック部品２６は、上下に貫通する長手方向に沿った孔部２６ａを有している。孔部２６ａ内には、上部ケーシング２１の軸支持部２１３が挿通されるとともに、この軸支持部２１３の右側に付勢ばね２６１が配置される。付勢ばね２６１は、孔部２６ａ内において上部ケーシング２１の軸支持部２１３と上側ロック部品２６の先端側（右側）部分との間に配置され、上側ロック部品２６を右方に付勢している。つまり、上側ロック部品２６は、入力ギヤ２３の中心軸Ａｘ１に対して径方向に移動可能に支持されるとともに、付勢ばね２６１により先端が外径側（径方向外側）に付勢されている。
【００２５】
また、上側ロック部品２６は、少なくとも下側の一部が、上部ギヤ２３１の上面に形成された凹部２３１ｂ内に配置されている。凹部２３１ｂは、上部ギヤ２３１の外周の歯面と同心円状に形成されている。凹部２３１ｂの内周面には、複数（図５では６つ）の突起２３１ｃが周上等配で突設されている。突起２３１ｃは、隣り合うものとの距離（弦の長さ）が、上側ロック部品２６の先端の幅よりも大きい。
また、上側ロック部品２６の前側の側部には、前方に突出する腕部２６ｂが設けられている。腕部２６ｂの右側の面は、右側に位置するに連れて下方に傾斜するテーパ面となっている。上側ロック部品２６は、付勢ばね２６１以外からの外力を受けていない状態（後述の「回転規制状態」）において、腕部２６ｂのテーパ面を、上部ケーシング２１のギヤケース部２１２に形成された貫通孔２１２ａから上方に露出させている。
【００２６】
このような構成により、上側ロック部品２６は、図５（ａ）に示すように、付勢ばね２６１以外からの外力を受けていない状態において、付勢ばね２６１に付勢されて先端を上部ギヤ２３１の凹部２３１ｂの内周面に当接（もしくは内周面近傍に位置）させる。これにより、入力ギヤ２３（上部ギヤ２３１）は、隣り合う２つの突起２３１ｃが上側ロック部品２６と当接する角度範囲に、回転が規制される。以下、この状態を「回転規制状態」という。
また、上側ロック部品２６が回転規制状態にあるときに、後述する連結ユニット４０の押圧突起４２３が上部ケーシング２１の貫通孔２１２ａに挿通されると、当該押圧突起４２３が上側ロック部品２６の腕部２６ｂのテーパ面に上方から当接する。これにより、上側ロック部品２６は左方への押圧力を受け、図５（ｂ）に示すように、付勢ばね２６１の付勢力に抗して先端が内径側（径方向内側）に移動する。その結果、上側ロック部品２６の先端が突起２３１ｃと接触しない距離にまで上部ギヤ２３１の凹部２３１ｂの内周面から離間し、入力ギヤ２３（上部ギヤ２３１）は、回転規制状態が解除されて回転可能な状態となる。以下、この状態を「回転可能状態」という。
なお、後述するように、入力ユニット２０を上下反転させて出力ユニット３０に取り付けたときには、出力ユニット３０の押圧突起３１５が上部ケーシング２１の貫通孔２１２ａに挿通される。この場合でも、押圧突起３１５が上側ロック部品２６を移動させて、入力ギヤ２３（上部ギヤ２３１）は回転可能状態となる。
【００２７】
下側ロック部品２７は、上側ロック部品２６と略同様に構成されている。すなわち、図４に示すように、下側ロック部品２７は、長尺な棒状に形成されて左右方向に延在するように配置され、左右方向に移動可能なように下部ケーシング２２の底面に保持されている。より詳しくは、図６（ａ）に示すように、下側ロック部品２７は、上下に貫通する長手方向に沿った孔部２７ａを有している。孔部２７ａ内には、下部ケーシング２２の軸支持部２２３が挿通されるとともに、この軸支持部２２３の左側に付勢ばね２７１が配置される。付勢ばね２７１は、孔部２７ａ内において下部ケーシング２２の軸支持部２２３と下側ロック部品２７の先端側（左側）部分との間に配置され、下側ロック部品２７を左方に付勢している。つまり、下側ロック部品２７は、入力ギヤ２３の中心軸Ａｘ１に対して径方向に移動可能に支持されるとともに、付勢ばね２７１により先端が外径側に付勢されている。
【００２８】
また、下側ロック部品２７は、少なくとも上側の一部が、下部ギヤ２３２の下面に形成された凹部２３２ｂ内に配置されている。凹部２３２ｂは、下部ギヤ２３２の外周の歯面と同心円状に形成されている。凹部２３２ｂの内周面には、複数（図６では６つ）の突起２３２ｃが周上等配で突設されている。突起２３２ｃは、隣り合うものとの距離（弦の長さ）が、下側ロック部品２７の先端の幅よりも大きい。
また、下側ロック部品２７の前側の側部には、前方に突出する腕部２７ｂが設けられている。腕部２７ｂの左側の面は、左側に位置するに連れて下方に傾斜するテーパ面となっている。下側ロック部品２７は、付勢ばね２７１以外からの外力を受けていない状態（後述の「回転規制状態」）において、腕部２７ｂのテーパ面を、下部ケーシング２２のギヤケース部２２２に形成された貫通孔２２２ａから下方に露出させている。
【００２９】
このような構成により、下側ロック部品２７は、図６（ａ）に示すように、付勢ばね２７１以外からの外力を受けていない状態において、付勢ばね２７１に付勢されて先端を下部ギヤ２３２の凹部２３２ｂの内周面に当接（もしくは内周面近傍に位置）させる。これにより、入力ギヤ２３（下部ギヤ２３２）は、隣り合う２つの突起２３２ｃが下側ロック部品２７と当接する角度範囲に、回転が規制される。以下、この状態を「回転規制状態」という。
また、下側ロック部品２７が回転規制状態にあるときに、後述する出力ユニット３０の押圧突起３１５が下部ケーシング２２の貫通孔２２２ａに挿通されると、当該押圧突起３１５が下側ロック部品２７の腕部２７ｂのテーパ面に下方から当接する。これにより、下側ロック部品２７は右方への押圧力を受け、図６（ｂ）に示すように、付勢ばね２７１の付勢力に抗して先端が内径側に移動する。その結果、下側ロック部品２７の先端が突起２３２ｃと接触しない距離にまで下部ギヤ２３２の凹部２３２ｂの内周面から離間し、入力ギヤ２３（下部ギヤ２３２）は、回転規制状態が解除されて回転可能な状態となる。以下、この状態を「回転可能状態」という。
なお、後述するように、入力ユニット２０を上下反転させて連結ユニット４０に取り付けたときには、連結ユニット４０の押圧突起４２３が下部ケーシング２２の貫通孔２２２ａに挿通される。この場合でも、押圧突起４２３が下側ロック部品２７を移動させて、入力ギヤ２３（下部ギヤ２３２）は回転可能状態となる。
【００３０】
《出力ユニットの構成》
図７は、出力ユニット３０の分解斜視図である。
この図に示すように、出力ユニット３０は、ホルダー３１と、シャフト３２と、スライダー３３と、アタッチメント３４とを備えている。
【００３１】
ホルダー３１は、スライダー３３及びアタッチメント３４を保持するものであり、平板状のベース部３１１を有している。ベース部３１１の略中央には、上下方向に貫通する円形の孔部３１１ａが形成されている。ベース部３１１の上面には、孔部３１１ａと同心状であって前側半部の半円筒状に形成された壁部３１２が立設されている。
壁部３１２の左右両側部には、連結ユニット４０と係合する係合部３１３が設けられている。各係合部３１３には、上方に開口する第２係止凹部３１３ａが形成されている。また、各係合部３１３には、出力ユニット３０と連結ユニット４０とを固定するための固定部材３１４が取り付けられている。固定部材３１４は、前後方向に沿った下端部の軸回りに回転可能に係合部３１３取り付けられており、この回動に伴って、上下方向に略沿った起立状態と側方に倒れた傾倒状態とを取り得るように構成されている。固定部材３１４は、保持孔３１４ａを有しており、連結ユニット４０の係合部４１３が係合部３１３に係合されたときに、起立状態において係合部３１３と係合部４１３とを保持孔３１４ａ内で上下に挟持し、出力ユニット３０と連結ユニット４０を固定する（図１参照）。
【００３２】
また、ホルダー３１は、ベース部３１１の上面の後端部に立設された押圧突起３１５を有している。押圧突起３１５は、出力ユニット３０が入力ユニット２０に取り付けられたときに、入力ユニット２０の下部ケーシング２２の貫通孔２２２ａに下方から挿通され、下側ロック部品２７を押圧する（図６（ｂ）参照）。また、入力ユニット２０が上下反転された状態で出力ユニット３０に取り付けられた場合には、押圧突起３１５は、入力ユニット２０の上部ケーシング２１の貫通孔２１２ａに下方から挿通されて上側ロック部品２６を押圧する（図５（ｂ）参照）。押圧突起３１５は、これらいずれの場合にも下側ロック部品２７又は上側ロック部品２６を好適に左右方向に押圧できるように、先端（上端）の左右両側がテーパ状に形成されている。
【００３３】
シャフト３２は、ホルダー３１の孔部３１１ａ内に上側から挿通され、孔部３１１ａの中心軸Ａｘ２回りに回転可能なように当該孔部３１１ａに保持されている。
シャフト３２の上部には、後述する連結ユニット４０の第１スプライン軸部４３２ａが噛合する第１スプライン穴３２１が形成されている。
シャフト３２の下部には、第２スプライン軸３２２が形成されている。
【００３４】
スライダー３３及びアタッチメント３４は、ホルダー３１の下側において上側からこの順に配置され、固定ねじ３５によってシャフト３２に共締めされている。
このうち、スライダー３３は、略円板状に形成され、中央に第２スプライン穴３３１を有している。第２スプライン穴３３１には、シャフト３２の第２スプライン軸３２２が噛合する。また、スライダー３３には、中心軸Ａｘ２を中心とする２つの弧状のスリット３３２が形成されている。
アタッチメント３４は、本発明に係る出力回転体の一例であり、コマ玩具５０に回転力を付与するものである。アタッチメント３４は、円形状の底板３４１を有し、底板３４１の上面には中心軸Ａｘ２を挟んで対向する２つの突起３４２が立設されている。２つの突起３４２は、スライダー３３の２つのスリット３３２に嵌り、スライダー３３から回転力が伝達される。また、底板３４１の下面周縁には、中心軸Ａｘ２を挟んで対向する２つのフォーク３４３が立設されている。２つのフォーク３４３は、コマ玩具５０の弧状スリット５１に挿し込まれ、コマ玩具５０に回転力を伝達する（図１参照）。
【００３５】
《連結ユニットの構成》
図８は、連結ユニット４０の分解斜視図である。
この図に示すように、連結ユニット４０は、ベース部材４１と、上部カバー４２と、連結ギヤ４３とを備えている。
【００３６】
ベース部材４１は、略平板状に形成され、その略中央には、上下方向に貫通する円形の孔部４１１を有している。
ベース部材４１の下面の左右両側部には、下方に突出した突設部４１２が設けられている。各突設部４１２の外側面には、出力ユニット３０と係合する係合部４１３が設けられている。係合部４１３の下面には、出力ユニット３０の第２係止凹部３１３ａと嵌合する第２係止突起４１３ａが形成されている。
また、ベース部材４１の下面のうち、突設部４１２よりもやや内側の左右両側部には、第１係止突起４１４が立設されている。第１係止突起４１４は、連結ユニット４０が入力ユニット２０に取り付けられるときに、入力ユニット２０の上部ケーシング２１の第１係止孔２１１ｂ（又は下部ケーシング２２の第１係止孔２２１ｂ）と嵌合して、入力ユニット２０と連結ユニット４０とを位置決めする。
【００３７】
上部カバー４２は、前半部がケース部４２１となっている。ケース部４２１は、ベース部材４１との間で連結ギヤ４３を収容した状態で、固定ねじ４４によりベース部材４１に固定されている。
上部カバー４２の後半部は、円環状に形成されたリング部４２２となっている。リング部４２２は、連結ユニット４０が入力ユニット２０に取り付けられたときに、回転方向を表す上部ケーシング２１の「Ｒ」（又は下部ケーシング２２の「Ｌ」）の文字を囲うように配置される。
【００３８】
また、上部カバー４２は、ケース部４２１の下面の後端部に立設された押圧突起４２３を有している。押圧突起４２３は、連結ユニット４０が入力ユニット２０に取り付けられたときに、入力ユニット２０の上部ケーシング２１の貫通孔２１２ａに上方から挿通され、上側ロック部品２６を押圧する（図５（ｂ）参照）。また、入力ユニット２０が上下反転された状態で連結ユニット４０に取り付けられた場合には、押圧突起４２３は、入力ユニット２０の下部ケーシング２２の貫通孔２２２ａに上方から挿通されて下側ロック部品２７を押圧する（図６（ｂ）参照）。押圧突起４２３は、これらいずれの場合にも上側ロック部品２６又は下側ロック部品２７を好適に左右方向に押圧できるように、先端（上端）の左右両側がテーパ状に形成されている。
【００３９】
連結ギヤ４３は、本発明に係る連結回転体の一例であり、ギヤ部４３１と軸部４３２を有している。
ギヤ部４３１は、入力ユニット２０の入力ギヤ２３（上部ギヤ２３１、下部ギヤ２３２）よりも歯数とピッチ円径が小さい平歯車であり、当該入力ギヤ２３の歯２３１ａ、２３２ａと噛合する歯４３１ａを外周面に有している。
軸部４３２は、ギヤ部４３１の下面に当該ギヤ部４３１と同心状に立設されている。軸部４３２の下端は、出力ユニット３０の第１スプライン穴３２１と噛合する第１スプライン軸部４３２ａとなっている。
連結ギヤ４３は、ギヤ部４３１の上面中央に立設された上側軸部４３１ｂが上部カバー４２の軸支持部４２４に支持され、軸部４３２がベース部材４１の孔部４１１に挿通された状態で、上下方向に沿った中心軸Ａｘ３回りに回転可能に支持されている（図９参照）。
この連結ギヤ４３は、連結ユニット４０が入力ユニット２０及び出力ユニット３０に取り付けられたときに、ギヤ部４３１が入力ユニット２０の入力ギヤ２３（上部ギヤ２３１又は下部ギヤ２３２）と噛合し、軸部４３２が出力ユニット３０のアタッチメント３４に固定されたシャフト３２と噛合する。これにより、連結ギヤ４３は、入力ユニット２０の入力ギヤ２３と出力ユニット３０のアタッチメント３４とを連結して回転力を伝達する。
【００４０】
《コマ発射装置の組立構造》
図９は、コマ発射装置１の断面図である。
図２及び図９に示すように、コマ発射装置１は、入力ユニット２０、出力ユニット３０及び連結ユニット４０を組み付けることで組み立てられる。
具体的には、まず、連結ユニット４０のベース部材４１を入力ユニット２０の平板部２１１、２２１上に載置するようにして、連結ユニット４０を入力ユニット２０に組み付ける。このとき、連結ユニット４０の２つの第１係止突起４１４（図８参照）を入力ユニット２０の２つの第１係止孔２１１ｂに嵌合させることにより、入力ユニット２０と連結ユニット４０とが位置決めされる。そして、連結ユニット４０の連結ギヤ４３の軸部４３２が入力ユニット２０の貫通孔２１１ａ、２２１ａに挿通されて下方に突出し、連結ユニット４０の２つの突設部４１２が入力ユニット２０の平板部２１１、２２１を左右に挟むように配置される。
【００４１】
次に、入力ユニット２０の平板部２１１、２２１に出力ユニット３０を下方から組み付ける。このとき、連結ユニット４０の連結ギヤ４３の第１スプライン軸部４３２ａを出力ユニット３０のシャフト３２の第１スプライン穴３２１に噛合させる。そして、出力ユニット３０の各係合部３１３の第２係止凹部３１３ａに連結ユニット４０の係合部４１３の第２係止突起４１３ａを嵌合させるようにして、出力ユニット３０の２つの係合部３１３と連結ユニット４０の２つの係合部４１３とを上下に係合させる。この状態で、各係合部３１３の固定部材３１４を傾倒状態から起立状態にして、固定部材３１４で係合部３１３と係合部４１３とを上下に挟持することにより、出力ユニット３０と連結ユニット４０とを固定する（図１参照）。
こうして、入力ユニット２０を出力ユニット３０及び連結ユニット４０で上下に挟持するようにして、コマ発射装置１が組み立てられる。このときには、入力ギヤ２３が反時計回りに回転し、これと噛合する連結ギヤ４３及びアタッチメント３４が時計回りに回転する結果、コマ玩具５０は時計回りに回転する。
なお、入力ユニット２０に出力ユニット３０を組み付けてから連結ユニット４０を組み付けてもよい。
【００４２】
このとき、入力ユニット２０に連結ユニット４０を組み付けることで、連結ユニット４０の押圧突起４２３が、上部ケーシング２１の貫通孔２１２ａからギヤケース部２１２内に挿入され、上側ロック部品２６を押圧して移動させる（図５参照）。これにより、上側ロック部品２６による入力ギヤ２３（上部ギヤ２３１）の回転規制状態が解除される。
同様に、入力ユニット２０に出力ユニット３０を組み付けることで、出力ユニット３０の押圧突起３１５が、下部ケーシング２２の貫通孔２２２ａからギヤケース部２２２内に挿入され、下側ロック部品２７を押圧して移動させる（図６参照）。これにより、下側ロック部品２７による入力ギヤ２３（下部ギヤ２３２）の回転規制状態が解除される。
これにより、入力ユニット２０単体の状態では上側ロック部品２６及び下側ロック部品２７によって回転規制状態であった入力ギヤ２３が、回転可能状態となる。
【００４３】
このように、本実施形態のコマ発射装置１では、入力ユニット２０、出力ユニット３０及び連結ユニット４０が個別に着脱可能に構成されている。すなわち、入力ギヤ２３を有する入力ユニット２０と、アタッチメント３４を有する出力ユニット３０と、これらを連結して回転力を伝達する連結ユニット４０とが、個別に着脱可能となっている。
そのため、入力ユニット２０、出力ユニット３０及び連結ユニット４０を、個別にその状態を変化させたり、異なる特性（回転に係る特性）のものと交換したりすることができる。これにより、入力ユニット２０、出力ユニット３０及び連結ユニット４０の各々が担う機能を、個別にカスタマイズすることができる。
【００４４】
例えば、本実施形態のコマ発射装置１では、図１０に示すように、入力ユニット２０だけを上下反転させた状態で、出力ユニット３０及び連結ユニット４０と組み付けることができる。つまり、入力ユニット２０は、入力ギヤ２３の回転方向を反転させた状態でも、出力ユニット３０及び連結ユニット４０と組み付けることができ、これにより、コマ玩具５０の回転方向を反転させることができる。
具体的に、この場合には、入力ギヤ２３が時計回りに回転し、これと噛合する連結ギヤ４３及びアタッチメント３４が反時計回りに回転する。そのため、コマ玩具５０は、上述した組立状態のコマ発射装置１による回転方向から反転し、反時計回りに回転する。
【００４５】
また、出力ユニット３０を異なる特性のものと交換してもよい。
例えば、アタッチメント３４に連結されたシャフト３２がベアリングによって滑らかに軸支されたものと交換するなどしてもよい。これにより、回転力の伝達効率を向上させることができる。
あるいは、フォーク３４３の形状が異なるものと交換してもよい。これにより、出力ユニット３０を交換するだけで、コマ玩具５０の様々なバリエーションに対応できる。
【００４６】
また、連結ユニット４０を異なる特性のものと交換してもよい。
例えば、歯数の異なる連結ギヤ４３（ギヤ部４３１）を備えるものと交換するなどしてもよい。これにより、入力ギヤ２３から伝達される回転の変速比を変化させることができる。
【００４７】
《本実施形態の技術的効果》
以上のように、本実施形態のコマ発射装置１によれば、回転力が入力される入力ギヤ２３を有する入力ユニット２０と、コマ玩具５０に回転力を付与するアタッチメント３４を有する出力ユニット３０と、入力ギヤ２３とアタッチメント３４とを連結して回転力を伝達する連結ギヤ４３を有する連結ユニット４０とが、個別に着脱可能に構成されている。
そのため、これらのユニットを、個別にその状態を変えたり、異なる特性のものと交換したりできる。したがって、コマ発射装置１の回転に係る特性を、好適に調整・変更することができる。
【００４８】
また、本実施形態のコマ発射装置１によれば、入力ユニット２０が、入力ギヤ２３の回転方向を反転させた状態で出力ユニット３０及び連結ユニット４０に装着可能であるので、簡便にコマ玩具５０の回転方向を反転させることができる。
【００４９】
また、本実施形態のコマ発射装置１によれば、出力ユニット３０及び連結ユニット４０が、入力ギヤ２３の軸方向（上下方向）に沿って入力ユニット２０を挟持するように構成されている。
これにより、出力ユニット３０及び連結ユニット４０と入力ユニット２０とをより強固に固定することができる。すなわち、歯車のように互いに連結した２つの回転体には互いに離れる方向の力が作用するため、出力ユニット３０及び連結ユニット４０が入力ギヤ２３の側方（前方や左右側方）から入力ユニット２０に着脱される構成では、各ユニットに各々が離脱する方向の力が加わる。その結果、使用していくうちに各ユニットのケーシングが破損したり、ユニットが分解したりするおそれがある。この点、出力ユニット３０及び連結ユニット４０が、入力ギヤ２３の軸方向に沿って入力ユニット２０を挟持する構成とすることで、回転に伴う力の作用方向と着脱方向とを異ならせて、これらをより強固に固定することができる。
【００５０】
また、本実施形態のコマ発射装置１によれば、入力ユニット２０は、入力ギヤ２３と接離して当該入力ギヤ２３の回転を規制可能な下側ロック部品２７と、下側ロック部品２７を入力ギヤ２３と当接する方向に付勢する付勢ばね２７１とを有し、出力ユニット３０は、入力ユニット２０に装着されたときに、付勢ばね２７１の付勢力に抗して下側ロック部品２７を入力ギヤ２３から離間させる押圧突起３１５を有する。
これにより、入力ユニット２０に出力ユニット３０が装着されていないときに、入力ギヤ２３の回転を規制することができる。したがって、入力ユニット２０に出力ユニット３０が装着されていないときに入力ギヤ２３が露出していても、入力ギヤ２３が回転することによる危険を防ぐことができる。
【００５１】
また、本実施形態のコマ発射装置１によれば、入力ユニット２０は、入力ギヤ２３と接離して当該入力ギヤ２３の回転を規制可能な上側ロック部品２６と、上側ロック部品２６を入力ギヤ２３と当接する方向に付勢する付勢ばね２６１とを有し、連結ユニット４０は、入力ユニット２０に装着されたときに、付勢ばね２６１の付勢力に抗して上側ロック部品２６を入力ギヤ２３から離間させる押圧突起４２３を有する。
これにより、入力ユニット２０に連結ユニット４０が装着されていないときに、入力ギヤ２３の回転を規制することができる。したがって、入力ユニット２０に出力ユニット３０が装着されていないときに入力ギヤ２３が露出していても、入力ギヤ２３が回転することによる危険を防ぐことができる。
【００５２】
《変形例》
なお、本発明を適用可能な実施形態は、上述した実施形態に限定されることなく、本発明の趣旨を逸脱しない範囲で適宜変更可能である。
【００５３】
例えば、上記実施形態では、出力ユニット３０と連結ユニット４０で入力ユニット２０を上下に挟む構造としたが、これら入力ユニット２０、出力ユニット３０及び連結ユニット４０は、個別に着脱可能に構成されていれば、その具体構成は特に限定されない。例えば、出力ユニット３０と連結ユニット４０が、入力ユニット２０に対して前方や側方から取り付けられる構造であってもよい。あるいは、出力ユニット３０と連結ユニット４０を先に固定し、これを入力ユニット２０の下部などに取り付ける構造であってよい。
【００５４】
また、上記実施形態では、連結ユニット４０が１つの連結ギヤ４３（ギヤ部４３１）を備えるものとした。しかし、連結ユニットは、複数段のギヤ部を備え、その最終段に出力ユニットと連結される軸部を有するものであってもよい。この場合、連結ユニットは、例えばギヤ部ごとに複数に分割されていてもよい。
【００５５】
また、上記実施形態では、入力ギヤ２３の回転を規制する上側ロック部品２６及び下側ロック部品２７が設けられることとしたが、これら上側ロック部品２６及び下側ロック部品２７は、少なくともいずれか一方が設けられていればよい。ただし、上側ロック部品２６及び下側ロック部品２７の両方が設けられていた方が、出力ユニット３０及び連結ユニット４０の両方を入力ユニット２０に装着するまで入力ギヤ２３の回転を確実に規制できるため、安全性の点でより好ましい。
【００５６】
また、上記実施形態では、ワイヤー２４によって入力ギヤ２３に回転力が入力されることとしたが、入力ギヤ２３に回転力を入力するものはワイヤー２４に限定されず、例えばラックベルトであってもよい。
【符号の説明】
【００５７】
１        コマ発射装置
２０      入力ユニット
２１      上部ケーシング
２１２ａ  貫通孔
２２      下部ケーシング
２２２ａ  貫通孔
２３      入力ギヤ（入力回転体）
２３１    上部ギヤ
２３１ｃ  突起
２３２    下部ギヤ
２３２ｃ  突起
２３４    軸部
２４      ワイヤー
２５      ハンドル（操作手段）
２６      上側ロック部品（第２規制部材）
２６ｂ    腕部
２６１    付勢ばね（第２付勢部材）
２７      下側ロック部品（第１規制部材）
２７ｂ    腕部
２７１    付勢ばね（第１付勢部材）
３０      出力ユニット
３１５    押圧突起（第１押圧部）
３４      アタッチメント（出力回転体）
３４３    フォーク
４０      連結ユニット
４２３    押圧突起（第２押圧部）
４３      連結ギヤ（連結回転体）
４３１    ギヤ部
４３２    軸部
５０      コマ玩具
【要約】
【課題】回転に係る特性を好適に調整・変更できるコマ発射装置を提供する。
【解決手段】コマ発射装置１は、ハンドル２５の操作により回転力が入力される入力ギヤ２３を有する入力ユニット２０と、コマ玩具５０に回転力を付与するアタッチメント３４を有する出力ユニット３０と、入力ギヤ２３とアタッチメント３４とを連結して回転力を伝達する連結ギヤ４３を有する連結ユニット４０とを備える。入力ユニット２０、出力ユニット３０及び連結ユニット４０は、個別に着脱可能に構成されている。
【選択図】図２【図１】
0006960644.tif 000002
【図２】
0006960644.tif 000003
【図３】
0006960644.tif 000004
【図４】
0006960644.tif 000005
【図５】
0006960644.tif 000006
【図６】
0006960644.tif 000007
【図７】
0006960644.tif 000008
【図８】
0006960644.tif 000009
【図９】
0006960644.tif 000010
【図１０】
0006960644.tif 000011